(57)【要約】【課題】  ユーザが設定した所望の空き時間帯に番組データの移動またはコピー処理を行わせる。【解決手段】  チューナは、番組データを受信する。デジタルテレビジョン放送受信装置１１１内のチューナから入力された番組データをＡＶ−ＨＤＤ１４１に記録する。デジタルテレビジョン放送受信装置１１１内の時計は、時刻を計時する。ユーザにより設定された時刻を、デジタルテレビジョン放送受信装置１１１内の不揮発性メモリに記憶する。この不揮発性メモリに記憶された時刻に、ＡＶ−ＨＤＤ１４１に記録された番組データを、Ｄ−ＶＨＳに記録する。【選択図】      図１
2007013563.tif 000002
【特許請求の範囲】
【請求項１】
番組データを受信するチューナと、
前記チューナから入力された番組データを第１の記録媒体に記録する第１の記録制御手段と、
時刻を計時する時計と、
ユーザにより設定された時刻を記憶する時刻記憶手段と、
前記時刻記憶手段に記憶された時刻に、前記第１の記録媒体に記録された番組データを、前記第１とは異なる第２の記録媒体に記録する第２の記録制御手段とを備えたことを特徴とする番組データ移動装置。
【請求項２】
更に、前記第２の記録制御手段が前記記録をした後に、前記第１の記録媒体に記録されている番組データを削除する削除手段を備えたことを特徴とする請求項１記載の番組データ移動装置。
【請求項３】
更に、前記第１の記録媒体の空き容量を検出する検出手段と、
所定の容量を記憶するメモリと、
前記検出手段の検出結果が所定の容量よりも小さくなったときに、前記第２の記録制御手段に対して、前記第１の記録媒体に記録された番組データを、前記第２の記録媒体に記録させる手段とを備えたことを特徴とする請求項１または２記載の番組データ移動装置。
【請求項４】
番組データを受信し、
この受信した番組データを第１の記録媒体に記録し、
時計により時刻を計時し、
ユーザにより設定された時刻を記憶し、
この記憶した時刻に、前記第１の記録媒体に記録された番組データを、前記第１とは異なる第２の記録媒体に記録することを特徴とする番組データ移動方法。
【発明の詳細な説明】
【技術分野】
【０００１】
この発明は、録画した番組のデータを移動する番組データ移動装置および方法に関する。
【背景技術】
【０００２】
最近では受信した番組データをＨＤＤ等の記録媒体に記録することが行われている。容量が大きくなりがちな番組データの移動またはコピー処理にはかなりの時間を要し、この間は他の番組の記録または再生が不能となったり、平行処理可能な能力を備えていたとしても負荷が大きくなってしまうという問題がある。
【０００３】
従来、空き時間帯に画像データを複写する技術が知られている（例えば、特許文献１参照）。この技術では、画像データを記録用デッキに記録し、空き時間帯に記録用デッキから検索用デッキの記録媒体に複写することにより、検索時に画像記録の中断を少なくすると共に高速検索を実現している。
【特許文献１】特開平０７−０８５１００号公報
【発明の開示】
【発明が解決しようとする課題】
【０００４】
従来の番組データ移動装置においては、番組データの移動またはコピー処理を行う時間帯を、ユーザが予め指定した任意の時間帯に録画番組データの移動またはコピー処理を行うことができないという問題があった。
【課題を解決するための手段】
【０００５】
上記の目的を達成するために、この発明においては、番組データを受信するチューナと、前記チューナから入力された番組データを第１の記録媒体に記録する第１の記録制御手段と、時刻を計時する時計と、ユーザにより設定された時刻を記憶する時刻記憶手段と、前記時刻記憶手段に記憶された時刻に、前記第１の記録媒体に記録された番組データを、前記第１とは異なる第２の記録媒体に記録する第２の記録制御手段とを備えたことを特徴とする番組データ移動装置を提供する。
【０００６】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【０００７】
この発明によれば、番組データの移動またはコピー処理を行う時間帯を、ユーザが予め指定した任意の時間帯に録画番組データの移動またはコピー処理を行うことができる。
【０００８】
このような時間のかかる番組データの移動またはコピーを指定の時間、例えば深夜の記録再生装置が空いている時間等に設定することで、機器の空き時間を有効に利用することができ、またユーザが移動またはコピーの完了を待つことなく処理を実行することが可能をなる。
【発明を実施するための最良の形態】
【０００９】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１０】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１１】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１２】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１３】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１４】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１５】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１６】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤ（Digital Versatile Disk）レコーダ１２９等の機器を接続し、これらの機器と情報伝送を行なうために使用される。
【００１７】
なお、ＰＣ１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００１８】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００１９】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２０】
なお、ＰＣ１３３についてはコンテンツのサーバー機器として動作するための機能を持ち、さらにコンテンツのアクセスに必要なＵＲＩ情報を提供するサービスを備えたＵＰｎＰ対応機器として構成される。
【００２１】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２２】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２３】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２４】
チューナ２４５ａは、制御部２６１からの制御信号により所望のチャンネルの放送信号を選局し、この選局された放送信号をＰＳＫ（Phase Shift Keying）復調器２４５ｂに出力する。
【００２５】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２６】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００２７】
また、地上波放送受信用のアンテナ２４８で受信した地上デジタルテレビジョン放送信号は、入力端子２４９を介して地上デジタル放送用のチューナ２５０ａに供給される。
【００２８】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００２９】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３０】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００３１】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３２】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３３】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３４】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３５】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３６】
また、字幕放送による字幕を表示するとき、グラフィック処理部２５４は、制御部２６１からの制御信号および字幕情報に基づき、映像信号上に字幕情報を重畳する処理を行う。
【００３７】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３８】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００３９】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４０】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４１】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４２】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４３】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４４】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４５】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４６】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００４７】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００４８】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００４９】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてＰＣ１２８を発見する。
【００５０】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００５１】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５２】
次に、上記構成における記録した番組データの退避処理の動作について説明する。
なお、本明細書中番組データとは、動画像および音声による通常のテレビジョン放送による番組の他、音声のみによる番組でもよい。また、番組データとは、必ずしも放送によって送信されるものに限らず、例えばインターネットや専用線等により送られるものであってもよい。
【００５３】
デジタルテレビジョン放送受信装置１１１は、内部に時計２８０を有しており、時刻管理を行うことができる。
このデジタルテレビジョン放送受信装置１１１は、通常、番組のＭＰＥＧトランスポートストリームをＡＶ−ＨＤＤ１４１へ記録する。このようにして番組データを次々に記録し続けていくとＡＶ−ＨＤＤ１４１の記録可能な容量が減ってきてしまう。
【００５４】
このため本発明のデジタルテレビジョン放送受信装置１１１では、ユーザが予め設定する時刻に従って、ＡＶ−ＨＤＤ１４１に記録された番組データを、例えばＤ−ＶＨＳ１４２へ移動させる。
【００５５】
なお、必ずしも移動でなくてもよく、例えば定期的なバックアップのためのコピーであってもよい。
このような移動やコピーの制御の手段としては、ｉ．ＬＩＮＫ制御やリモートコントロールコマンド等を用いることで実現することができる。
図３に、本発明の実施形態の動作を説明するためのフローチャートを示す。
ステップＳ３０１：ユーザはＡＶ−ＨＤＤ１４１に録画した録画番組データをＤ−ＶＨＳ１４２へコピーまたは移動したい場合、Ｄ−ＶＨＳ１４２が空いている時間を確認し、この時刻に指定の動作が発生するようにデジタルテレビジョン放送受信装置１１１内の不揮発性メモリ２６１ｃ内に記録されている予約管理データに、録画番組データの移動またはコピー処理の予約登録を行う。
【００５６】
図４は、この予約管理データを登録するときのＧＵＩ画面を示す図である。デジタルテレビジョン放送受信装置１１１内の制御部２６１は、ＯＳＤ信号生成部２５７およびグラフィック処理部２５４を制御し、図４に示すＧＵＩ画面を生成すると共に、ユーザによる操作部１１６の操作に応じて予約管理データを得ることにより、この録画番組データの移動またはコピー処理の予約登録が行われ、次に、ステップＳ３０２へ進む。
【００５７】
なお、ユーザによる予約管理データの登録の仕方には２通りあり、（１）指定時刻に、指定番組に関する録画番組データを移動またはコピーするという方法と、（２）一日の内の決まった毎日の時刻に、指定番組に関する録画番組データを繰り返し移動またはコピーする方法である。後者は一度予約登録しておくと、毎日決まった時刻に録画番組データのコピーまたは移動が自動的に行われる。
【００５８】
この実施形態の変形例として、図５に示すＧＵＩ画面によって予め所定の値を設定するようにしておき、記録媒体の空き容量が所定の値よりも小さくなったことをデジタルテレビジョン放送受信装置１１１内の制御部１６１により検出し、上記コピーまたは移動を自動的に行うようにしてもよい。図５（ａ）は空き容量をサイズで設定する例であり、図５（ｂ）は空き容量を比率で設定する例である。こうすることにより記録媒体の空き容量が所定の値よりも小さくなったときにだけ、移動またはコピーを実行させることができるという効果がある。また、この所定の値はユーザによって変えることができるようになっている必要は必ずしもなく、工場出荷時に決められていてもよい。
【００５９】
ステップＳ３０２：デジタルテレビジョン放送受信装置１１１内の制御部２６１は、時計２８０から現在の時刻を取得する。
ステップＳ３０３：デジタルテレビジョン放送受信装置１１１内の制御部２６１は、ユーザが設定した予約管理データを定常的にチェックし、予約時刻の到来を待つ（ステップＳ３０２との間のループ）。そして時刻が予約時刻になると、ステップＳ３０４へ進む。
【００６０】
ステップＳ３０４：デジタルテレビジョン放送受信装置１１１内の制御部２６１は、録画番組データの移動元である記録再生装置（ＡＶ−ＨＤＤ１４１）および移動先である記録再生装置（Ｄ−ＶＨＳ１４２）が接続されているかという機器チェックの他、記録メディアの残容量は十分か等のメディアチェックを行う。そして機器チェックおよびメディアチェックでＯＫと判断され、録画番組をコピーまたは移動可能であると判断した場合、ステップＳ３０５へ進む。また、録画番組データをコピーまたは移動可能でないと判断した場合、エラーとして処理を終了する。
【００６１】
ステップＳ３０５：移動元である記録再生装置（ＡＶ−ＨＤＤ１４１）に録画された録画番組データであるＭＰＥＧトランスポートストリームを、移動先である記録再生装置（Ｄ−ＶＨＳ１４２）へ転送を行う。このとき、転送に成功した場合予約は完了したとし、何らかのエラーが発生して転送できなかった場合には予約は実行されなかったとする。
【００６２】
以上説明した通り本発明によれば、番組データの移動またはコピー処理を行う時間帯を、ユーザが予め指定した任意の時間帯に録画番組データの移動またはコピー処理を行うことができる。
【００６３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６４】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】実施形態の動作を説明するためのフローチャート。
【図４】予約管理データを登録するときのＧＵＩ画面を示す図。
【図５】予め所定の値を設定するときのＧＵＩ画面を示す図。
【符号の説明】
【００６５】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2007013563.tif 000003
【図２】
2007013563.tif 000004
【図３】
2007013563.tif 000005
【図４】
2007013563.tif 000006
【図５】
2007013563.tif 000007